(57)【要約】      （修正有）【課題】電源出力制御システムを一緒にメイン基板の中に統合し、無線装置を通じてその発光を制御できる発光ダイオードモジュールを提供する。【解決手段】複数の発光ダイオード３０がメイン基板１０に設けられ、少なくとも１色の発光ダイオードを含む。電源出力制御システム４０は、複数の発光ダイオード３０と電気的に接続され、各発光ダイオードを通過した電流量を調整するために用いられ、該電流量の調整を通じて複数の発光ダイオードの発光を制御することで、複数の発光ダイオード３０全体の発光色或いは輝度を変更する。制御手段５０は、無線通信モジュール２０と電源出力制御システム４０と電気的に接続され、電源出力制御システム４０を制御して各発光ダイオードを通過した電流量を調整するために用いられる。【選択図】図１
0003182664.tif 000002
【実用新案登録請求の範囲】
【請求項１】
制御信号を受信できる発光ダイオードモジュールであって、
メイン基板と、
前記制御信号を受信するために用いられる無線通信モジュールと、
前記メイン基板に設けられ、少なくとも１色の発光ダイオードを含む複数の発光ダイオードと、
前記複数の発光ダイオードと電気的に接続され、各前記発光ダイオードを通過した電流量を調整するために用いられ、前記電流量の調整を通じて前記複数の発光ダイオードの発光を制御することで、前記複数の発光ダイオード全体の発光色、或いは、輝度を変更する電源出力制御システムと、
前記無線通信モジュールと前記電源出力制御システムと電気的に接続され、前記電源出力制御システムを制御して各前記発光ダイオードを通過した電流量を調整するために用いられる制御手段と、
を含むことを特徴とする発光ダイオードモジュール。
【請求項２】
前記無線通信モジュールと前記電源出力制御システムと前記制御手段は、いずれも前記メイン基板に設けられることを特徴とする請求項１に記載の発光ダイオードモジュール。
【請求項３】
前記無線通信モジュールは、前記メイン基板の一側から突出して設けられたアンテナを含むことを特徴とする請求項２に記載の発光ダイオードモジュール。
【請求項４】
前記無線通信モジュールは、アンテナを含み、前記メイン基板がスルーホールを備え、前記アンテナが前記スルーホール内に配置されていることを特徴とする請求項２に記載の発光ダイオードモジュール。
【請求項５】
前記無線通信モジュールは、アンテナを含み、前記メイン基板が通信域を備え、前記アンテナが前記通信域内に配置されていることを特徴とする請求項２に記載の発光ダイオードモジュール。
【請求項６】
前記無線通信モジュールは、アンテナを含み、前記無線通信モジュール、及び、前記アンテナが前記メイン基板外に配置されていることを特徴とする請求項２に記載の発光ダイオードモジュール。
【請求項７】
非金属材料からなるサブ基板を更に含み、前記無線通信モジュールは前記サブ基板に設けられるアンテナを含むことを特徴とする請求項１に記載の発光ダイオードモジュール。
【請求項８】
前記メイン基板は切欠口を備え、前記サブ基板が前記切欠口の位置に設けられることを特徴とする請求項７に記載の発光ダイオードモジュール。
【請求項９】
前記制御手段は、制御パラメータを保存するためのメモリモジュールとタイマーとを含むことを特徴とする請求項１〜８のいずれか一項に記載の発光ダイオードモジュール。
【請求項１０】
前記制御手段は前記制御信号を受信した後、前記制御パラメータに基づいて前記複数の発光ダイオード全体の発光色、発光輝度、或いは、発光時間を制御できることを特徴とする請求項９に記載の発光ダイオードモジュール。
【考案の詳細な説明】
【技術分野】
【０００１】
本考案は、発光ダイオードモジュールに関し、特に、無線装置を通じてその発光を制御できると共に電源出力制御システムを一緒にメイン基板内に統合する発光ダイオードモジュールに関する。
【背景技術】
【０００２】
従来の白熱灯、蛍光灯或いはその他の光源に比べ、発光ダイオード（Ｌｉｇｈｔ  Ｅｍｉｔｔｉｎｇ  Ｄｉｏｄｅ）は低温で、発光効率が良く、無汚染、長寿命等の長所を有し、すでに益々各種照明器具光源のベストチョイスとなっている。
【０００３】
一般的に言うと、発光ダイオードがメイン基板に実装されてから管球或いは電球の中に置かれ、また電源入力制御システムにより発光ダイオードの発光を制御している。発光ダイオードを設けるために用いられる従来のメイン基板は、発光ダイオードのみを単独で実装し、電源出力制御システムと無線装置をメイン基板に統合されていないため、製品の組立時手間がかかり、且つ放熱が不均一になる問題が生じてしまう。
【０００４】
よって、前記問題点を解決するため、新しい発光ダイオードモジュールを考案する必要があった。
【考案の概要】
【考案が解決しようとする課題】
【０００５】
本考案の主な目的は、電源出力制御システムを一緒にメイン基板の中に統合し、無線装置を通じてその発光を制御できる発光ダイオードモジュールを提供することである。
【課題を解決するための手段】
【０００６】
上記目的を達成するため、本考案の発光ダイオードモジュールは、利用者が入力した制御信号を受信できる。本考案の発光ダイオードモジュールは、メイン基板と無線通信モジュールと複数の発光ダイオードと電源出力制御システムと制御手段とを含む。
【０００７】
無線通信モジュールは、制御信号を受信するために用いられる。複数の発光ダイオードがメイン基板に設けられ、少なくとも１色の発光ダイオードを含む。電源出力制御システムは、複数の発光ダイオードと電気的に接続され、各発光ダイオードを通過した電流量を調整するために用いられ、該電流量の調整を通じて複数の発光ダイオードの発光を制御することで、複数の発光ダイオード全体の発光色或いは輝度を変更する。制御手段は、無線通信モジュールと電源出力制御システムと電気的に接続され、電源出力制御システムを制御して各発光ダイオードを通過した電流量を調整するために用いられる。
【０００８】
本考案の構造は新規で、産業上利用に提供でき、且つ確実に効果を向上できるため、法律に基づいて実用新案登録を出願する。
【図面の簡単な説明】
【０００９】
【図１】本考案に係る第１の実施例の発光ダイオードモジュール実装構造図である。
【図２】本考案に係る第２の実施例の発光ダイオードモジュール実装構造図である。
【図３】本考案に係る第３の実施例の発光ダイオードモジュール実装構造図である。
【図４】本考案に係る第４の実施例の発光ダイオードモジュール実装構造図である。
【図５】本考案に係る第５の実施例の発光ダイオードモジュール実装構造図である。
【図６】本考案に係る第６の実施例の発光ダイオードモジュール実装構造図である。
【図７】本考案に係る第７の実施例の発光ダイオードモジュール実装構造図である。
【図８】本考案に係る第８の実施例の発光ダイオードモジュール実装構造図である。
【考案を実施するための形態】
【００１０】
以下、本考案の上記目的と他の目的、特徴及び長所を更に明確に分かりやすくするため、具体的実施例を添付図面に基づいて説明する。
【００１１】
（第１の実施例）
本考案に係る第１の実施例の発光ダイオードモジュール実装構造図に関する図１を参照しながら説明する。
【００１２】
図１に示すように、本考案に係る第１の実施例において本考案の発光ダイオードモジュール１は、メイン基板１０と無線通信モジュール２０と複数の発光ダイオード３０と電源出力制御システム４０と制御手段５０とを含む。ただし本考案はこれに限らず、前記無線通信モジュール２０及び制御手段５０を合併して同一手段とすることもできる。
【００１３】
本考案に係る第１の実施例においてメイン基板１０はアルミニウム金属材料からなり、且つメイン基板１０の形状は円盤状となる。ただし本考案はこれに限らず、メイン基板１０の形状は設計のニーズに応じて不規則形状とすることができる。
【００１４】
本考案に係る第１の実施例において無線通信モジュール２０はメイン基板１０に設けられ、遮蔽影響の発生により信号を受信できないことを避けるためメイン基板の一側から突出するアンテナ２１を備える。無線通信モジュール２０は、利用者が入力した制御信号を受信するために用いられる。本考案の具体的実施例において無線通信モジュール２０は、ブルートゥース装置で、アンテナ２１がブルートゥースアンテナとする。ただし本考案の無線通信モジュール２０はブルートゥース装置に限らず、赤外線送信機、無線ネットワーク装置或いは音声制御装置とすることもできる。無線通信モジュール２０は音声制御装置の場合、前記制御信号が音声制御信号とする。
【００１５】
本考案に係る第１の実施例において複数の発光ダイオード３０はメイン基板１０に設けられ、赤色発光ダイオード３１と緑色発光ダイオード３２と青色発光ダイオード３３と白色発光ダイオード３４とを含む。本考案の具体的実施例において複数の発光ダイオード３０は同一ビード内に統合し、色の違う発光ダイオード３１、３２、３３、３４輝度の調整を通じて発光ダイオード３０全体が赤、緑、青、白以外の色を含む様々な色の光（つまりビードが様々な色を発生させることができる）を発生させることができる。
【００１６】
本考案に係る第１の実施例において、電源出力制御システム４０はメイン基板１０に設けられ、複数の電源出力コントローラ４０ａ、４０ｂ、４０ｃ、４０ｄを備え、且つ各電源出力コントローラ４０ａ、４０ｂ、４０ｃ、４０ｄが各色の発光ダイオード３１、３２、３３、３４と各々電気的に接続される。電源出力制御システム４０は、電源９０側から入力した電流を受信し、また各発光ダイオード３１、３２、３３、３４に出力する電流量を調整し、各発光ダイオード３１、３２、３３、３４を通過した電流量の調整により各発光ダイオード３１、３２、３３、３４の発光を制御して複数の発光ダイオード３０全体の発光色或いは輝度を変更する。例を挙げて言うと、電源出力制御システム４０は赤色発光ダイオード３１と緑色発光ダイオード３２に特定の比率の電流通過があり、青色発光ダイオード３３及び白色発光ダイオード３４に電流の通過しないように制御した時、複数の発光ダイオード３０全体の発光色が黄色となる。
【００１７】
本考案に係る第１の実施例において制御手段５０はメイン基板１０に設けられ、且つ無線通信モジュール２０と電源出力制御システム４０と電気的に接続される。制御手段５０は、メモリモジュール５１とタイマー５２とを備える。メモリモジュール５１は制御パラメータの保存に用いられ、制御手段５０が制御信号を受信した後制御パラメータにより電源出力制御システム４０を制御して各発光ダイオード３０に入力した入力電流を調整することで、複数の発光ダイオード３０全体の発光色、発光輝度或いは発光時間を制御する。この外、制御手段５０も単独で利用者が入力した制御信号により複数の発光ダイオード３０全体の発光色、発光輝度或いは、いつ発光する又は発光しないかを制御する。タイマー５２は計時に用いられる。
【００１８】
例を挙げて言うと、利用者は携帯電話のブルートゥース装置を通じて発光ダイオードモジュール１のオンオフ定刻時刻パラメータを設定でき、例えば発光ダイオードモジュール１が毎日夜１１時以後から翌日午前８時まで発光するよう設定できる。制御パラメータは、携帯電話により発光ダイオードモジュール１に入力された後、制御手段５０のメモリモジュール５１内に保存する。一旦利用者は携帯電話を通じて毎日夜１１時から翌日午前８時までの定刻発光機能をオンにした後（即ち制御信号の入力）、制御手段５０が制御パラメータに基づき毎日時間を設定でき、該設定時間内に発光ダイオードモジュール１の発光を定刻制御する。逆に、ある時間が経ち、利用者が毎日夜１１時から翌日午前８時までの定刻発光機能を取り消したい場合、ブルートゥース装置を通じて定刻発光機能をオフにするだけで、その後制御手段５０は以前設定した制御パラメータに基づき発光ダイオードモジュール１の発光或いは不発光を定刻制御しない。この外、利用者もブルートゥース装置を通じて制御パラメータを削除又はリセット、若しくは新しい制御パラメータをメモリモジュール５１の中に追加できる。例えば、毎日夜１１時から翌日午前８時まで発光する以外に、また毎日午後５時から夜８時までに定刻発光するよう設定する。
【００１９】
更に例を挙げて言うと、利用者も携帯電話のブルートゥース装置を通じて異なる時刻によって発光ダイオードモジュール１の発光色のパラメータを入力できる。例えば毎日午後６時から夜１１時までに発光ダイオードモジュール１が白色を発光させ、夜１１時から翌日午前６時まで発光ダイオードモジュール１に赤色を発光させるように設定できる。同じようにこれら制御パラメータが発光ダイオードモジュール１に入力された後メモリモジュール５１内に保存され、利用者が制御手段５０に実行を求めるために待機している。
【００２０】
（第２の実施例）
次に、本考案に係る第２の実施例の発光ダイオードモジュール実装構造図に関する図２を参照しながら説明する。
【００２１】
図２に示すように、本考案の第２の実施例においてメイン基板１０は、スルーホール１１を備え、メイン基板１０の遮蔽により信号を受信できないことを避けるため、アンテナ２１がスルーホール１１内に配置されている。
【００２２】
（第３の実施例）
次に、本考案に係る第３の実施例の発光ダイオードモジュール実装構造図に関する図３を参照しながら説明する。
【００２３】
図３に示すように、本考案の第３の実施例においてメイン基板１０に通信域１２が設けられ、通信域１２がプラスチック材質からなる。遮蔽影響の発生により信号を受信できないことを避けるため、アンテナ２１が通信域１２内に配置されている。
【００２４】
（第４の実施例）
次に、本考案に係る第４の実施例の発光ダイオードモジュール実装構造図に関する図４を参照しながら説明する。
【００２５】
図４に示すように、本考案の第４の実施例において発光ダイオードモジュール１の無線通信モジュール２０及びアンテナ２１はメイン基板１０に設けられることができる以外に、この方式が同様に遮蔽影響の発生を避けることができる。
【００２６】
（第５の実施例）
次に、本考案に係る第５の実施例の発光ダイオードモジュール実装構造図に関する図５を参照しながら説明する。
【００２７】
図５に示すように本考案の第５の実施例において発光ダイオードモジュール１は、サブ基板６０を更に含む。サブ基板６０は非金属材料からなる。無線通信モジュール２０及びアンテナ２１はサブ基板６０に設けられる。サブ基板６０は、非金属材料からなるため、アンテナ２１にとって遮蔽影響を発生することなく、同様にアンテナ２１が遮蔽影響の発生により信号の受信不能を避ける目的を達成できる。
【００２８】
（第６の実施例）
次に、本考案に係る第６の実施例の発光ダイオードモジュール実装構造図に関する図６を参照しながら説明する。
【００２９】
図６に示すように、本考案に係る第６の実施例においてメイン基板１０の形状は非円盤状で、切欠口１３を備え、サブ基板６０が切欠口１３の位置に設けられる。これにより、メイン基板１０、サブ基板６０を製造するための材料コストを削減できるだけではなく、両者が占めるスペースの大きさを省くことで、発光ダイオードモジュール１の体積も更に小型化させることができる。
【００３０】
ただし、本考案はこれに限らず、通信モジュール２０もメイン基板１０とサブ基板６０の間を横断できるが、アンテナ２１はやはりサブ基板６０範囲内に配置される。これにより、メイン基板１０とサブ基板６０の間の結線製造コストを削減できる。
【００３１】
（第７の実施例）
次に、本考案に係る第７の実施例の発光ダイオードモジュール実装構造図に関する図７を参照しながら説明する。
【００３２】
図７に示すように本考案に係る第７の実施例において、第５の実施例との相違点は、無線通信モジュール２０とアンテナ２１が分けて設けられ、無線通信モジュール２０がメイン基板１０に設けられ、アンテナ２１がサブ基板６０に設けられることである。この方式により、サブ基板６０の体積及び製造コストを削減できる。ただし本考案はこれに限らず、アンテナ２１を無線通信モジュール２０と電気的に接続するだけでよく、サブ基板６０は全く必要がない。
【００３３】
（第８の実施例）
最後に、本考案に係る第８の実施例の発光ダイオードモジュール実装構造図に関する図８を参照しながら説明する。
【００３４】
図８に示すように本考案に係る第８の実施例において、第５の実施例との相違点は、制御手段５０がサブ基板６０に設けられることである。この方式によりメイン基板６０の体積及び製造コストを削減できる。
【００３５】
上記をまとめ、本考案は、目的、手段及び効果を問わず、いずれも従来技術の特徴とは異なり、審査官は、何卒ご審理の上、速やかに特許査定賜りますようお願いする次第であります。ただし、上記の多くの実施例は、説明の便宜のためだけに挙げた例であり、本考案が主張する権利範囲は、上記実施例に限定されることなく、当然実用新案登録請求の範囲で記載されるものを基準とする。
【符号の説明】
【００３６】
１      発光ダイオードモジュール
１０      メイン基板
１１      スルーホール
１２      通信域
１３      切欠口
２０      無線通信モジュール
２１      アンテナ
３０      発光ダイオード
３１      赤色発光ダイオード
３２      緑色発光ダイオード
３３      青色発光ダイオード
３４      白色発光ダイオード
４０      電源出力制御システム
４０ａ、４０ｂ、４０ｃ、４０ｄ  電源出力コントローラ
５０      制御手段
５１      メモリモジュール
５２      タイマー
６０      サブ基板
９０      電源
【図１】
0003182664.tif 000003
【図２】
0003182664.tif 000004
【図３】
0003182664.tif 000005
【図４】
0003182664.tif 000006
【図５】
0003182664.tif 000007
【図６】
0003182664.tif 000008
【図７】
0003182664.tif 000009
【図８】
0003182664.tif 000010